(57)【要約】【課題】任意の映像の検索履歴を記憶し、検索履歴を選択することにより、特定の映像をモニタ画面に映し出すことのできる監視用テレビカメラシステムを提供すること。【解決手段】撮像を行い映像信号を出力する１つまたは複数のテレビカメラ２−１，２−２・・と、デジタル画像データを記憶する記憶装置１６と、時計回路１２と、テレビカメラからの映像信号をデジタル画像データに変換して記憶装置に記憶させ、このデジタル画像データの１つの単位毎に時計回路からの時刻データを画像データ単位識別のインデックス情報として記憶装置に記憶させ、記憶装置の再生の際にインデックス情報を基にデジタル画像データを検索可能に構成される共に、インデックス情報に基づいた検索履歴を記憶装置に記憶させ、指定した検索履歴に該当するデジタル画像データをモニタに出力するコントローラ１０と、デジタル画像データを映像として画面に表示するモニタ３−１，３−２とを具備する。【選択図】　図１
2004128533.tif 000002
【特許請求の範囲】
【請求項１】
撮像を行い映像信号を出力する１つまたは複数のテレビカメラと；
デジタル画像データを記憶する記憶装置と；
時計回路と；
テレビカメラからの映像信号をデジタル画像データに変換して記憶装置に記憶させ、このデジタル画像データの１つの単位毎に時計回路からの時刻データを画像データ単位識別のインデックス情報として記憶装置に記憶させ、記憶装置の再生の際にインデックス情報を基にデジタル画像データを検索可能に構成される共に、インデックス情報に基づいた検索履歴を記憶装置に記憶させ、指定した検索履歴に該当するデジタル画像データをモニタに出力するコントローラと；
デジタル画像データを映像として画面に表示するモニタと；
を具備したことを特徴とする監視用テレビカメラシステム。
【発明の詳細な説明】
【０００１】
【発明の属する技術分野】
本発明はテレビカメラが撮像した映像を表示及び記憶する監視用テレビカメラシステムに関する。
【０００２】
【従来の技術】
従来、店舗等の監視用テレビカメラシステムでは、テレビカメラが撮像した映像をモニタに表示するとともに及びハードディスク等の記憶装置に記憶できるようになっている。そして、記憶された映像をそれが撮像された時刻に基づき検索できるようになっているものが、例えば以下の特許文献１のように開発されている。
【０００３】
【特許文献１】
特開２００１−２８５８４５号公報
【０００４】
【発明が解決しようとする課題】
上記した従来の監視用テレビカメラシステムでは、記憶媒体に記憶されている任意の映像を撮像された時刻に基づいて高速に検索できるものの、同じ映像を繰り返しモニタ画面に表示する際には、同様な検索を繰り返しておこなわなければならず、操作が煩雑であった。
【０００５】
そこで、本発明は、任意の映像を検索したとき、その検索履歴を記憶し、その記憶された検索履歴を選択することにより、特定の映像をモニタ画面に映し出すことのできる監視用テレビカメラシステムの提供を目的とする。
【０００６】
【課題を解決するための手段】
本発明の監視用テレビカメラシステムは、撮像を行い映像信号を出力する１つまたは複数のテレビカメラと、デジタル画像データを記憶する記憶装置と、時計回路と、テレビカメラからの映像信号をデジタル画像データに変換して記憶装置に記憶させ、このデジタル画像データの１つの単位毎に時計回路からの時刻データを画像データ単位識別のインデックス情報として記憶装置に記憶させ、記憶装置の再生の際にインデックス情報を基にデジタル画像データを検索可能に構成される共に、インデックス情報に基づいた検索履歴を記憶装置に記憶させ、指定した検索履歴に該当するデジタル画像データをモニタに出力するコントローラと、デジタル画像データを映像として画面に表示するモニタとを具備したことを特徴とする。
【０００７】
【発明の実施の形態】
以下、発明の実施の形態を図面を参照して説明する。
【０００８】
図１及び図２は本発明に係る監視用テレビカメラシステムの実施の形態を示し、図１はシステム全体のブロック図、図２はコントローラのブロック図である。
【０００９】
図１において、監視用テレビカメラシステム１は、撮像を行い映像信号を出力する複数のテレビカメラ２−１，２−２，２−３・・・と、記憶媒体９に映像信号の記憶を行う記憶装置（図２の記憶装置１６）と、映像信号を画面に映像表示するモニタ３−１，３−２，３−３・・・と、テレビカメラからの映像信号を処理して記憶装置及びモニタ３−１，３−２・・・に出力するコントローラ１０とを備えている。コントローラ１０には、人物の侵入をタッチセンサや赤外センサの信号により検出する複数の外部センサ４−１，４−２・・・が接続され、また、通信回線を介して警備会社などの外部装置５と情報の送受信を行うように構成することもできる。また、コントローラ１０には、リモート操作装置６の手動操作によってもシステムの設定を行うようにしても良い。
【００１０】
本実施形態においては、コントローラ１０は、テレビカメラ２−１，２−２，２−３からの映像信号を処理して記憶装置に出力するとともに、テレビカメラ２−１，２−２，２−３・・・からの映像信号の変化、または、外部センサ４−１，４−２・・・からの入力により人物の侵入の判別を行い、この判別結果が人物の侵入となった場合に記憶装置にその映像信号を記憶できるようにテレビカメラ２−１，２−２，２−３・・・及び記憶装置の少なくとも一方の動作変更を行うとともに、この人物の映像信号に再生の際の検索用のデータを多重して記憶装置に出力されるように構成されているが、外部センサ４−１，４−２・・・と接続されていないときは、テレビカメラ２−１，２−２，２−３・・・からの映像信号を常時記憶装置１６に出力して、記憶装置はその映像信号を常時記憶しても良い。
【００１１】
図２において、コントローラ１０は、主制御回路１１と、時計回路１２と、操作表示部１３と、バス１４と、センサＩ／Ｏ部１５と、記憶装置１６と、外部装置Ｉ／Ｆ部１７と、カメラ信号Ｉ／Ｆ部１８と、信号判定回路１９と、ビデオデコーダ２０，ビデオエンコーダ２１と、モニタ出力Ｉ／Ｆ部２２と、リモート操作Ｉ／Ｆ部２３と、電源検知判定回路２４と、ダイオード２５と、バッテリ部２６と、電源部２７とから構成されている。
【００１２】
時計回路１２は、主制御回路１１の制御に基づき、計時動作を行い時刻データを主制御回路１１に出力する。
【００１３】
操作表示部１３は、手動操作に基づいて主制御回路１１に操作データを供給するとともに、故障通知手段となっており主制御回路１１の制御に基づき警報またはアラーム表示を行う。
【００１４】
センサＩ／Ｏ部１５は、端子３１を介して図１の複数の外部センサ４−１，４−２・・・に接続されており、主制御回路１１からバス１４を介して供給される制御信号を複数の外部センサ４−１，４−２に出力し、外部センサ４−１，４−２の検出信号をバス１４を介して主制御回路１１に供給する。
【００１５】
カメラ信号Ｉ／Ｆ部１８は、入力端子３２を介して図１の複数のテレビカメラ２−１，２−２，２−３・・・が接続されており、複数のテレビカメラ２−１，２−２，２−３・・・の映像信号に対して信号調整処理を行い、信号判定回路１９に供給する。信号判定回路１９は、供給される映像信号から人物の侵入の判別を行い、この判別結果のデータを主制御回路１１に供給するとともに、供給される映像信号をビデオデコーダ２０に供給する。ビデオデコーダ２０は、供給される映像信号をデジタル画像データにデコードし、バス１４を介して記憶装置１６に供給するとともにビデオエンコーダ２１に供給する。記憶装置１６は、供給されるデジタル画像データを図１の記憶媒体９に記憶するとともに、再生モードにおいて、記憶媒体９に記憶したデジタル画像データを再生しバス１４を介して記憶装置１６に供給する。ビデオエンコーダ２１は供給されるデジタル画像データをエンコードし、映像信号を再生してモニタ出力Ｉ／Ｆ部２２に供給する。モニタ出力Ｉ／Ｆ部２２は、出力端子３３を介して図１の複数のモニタ３−１，３−２・・・が接続されており、ビデオエンコーダ２１からの映像信号に対して信号調整処理を行い、複数のモニタ３−１，３−２・・・に供給して映像表示させる。リモート操作Ｉ／Ｆ部２３は、入力端子３４を介して図１のリモート操作装置６が接続されており、主制御回路１１からバス１４を介して供給される制御データをリモート操作装置６に出力するとともに、リモート操作装置６からの操作データをバス１４を介して主制御回路１１に供給する。
【００１６】
外部装置Ｉ／Ｆ部１７は、入力端子３５を介して図１の外部装置５が接続されており、主制御回路１１からバス１４を介して供給される制御データを外部装置５に出力するとともに、外部装置５からの入力をバス１４を介して主制御回路１１に供給する。
【００１７】
入力端子３６には、商用交流電源電圧を整流平滑した直流電源電圧が導かれている。入力端子３６に導かれた直流電源電圧Ｖ１は、電源検知判定回路２４，ダイオード２５を介して電源部２７に供給されるとともに、バッテリ部２６に供給される。バッテリ部２６は、電源のバックアップを行う電源バックアップ手段となっており、入力端子３６からの直流電源電圧Ｖ１により充電を行い、直流電源が停電となった場合、電源部２７に電力供給する。電源検知判定回路２４は、電源が停電した否かを検出する電源検出手段で、入力端子３６からの直流電源電圧Ｖ１から直流電源が停電した否かを検出し、この検出結果を主制御回路１１に供給する。電源部２７は、供給される直流電源電圧を適切な複数の制御電源に変換して各回路に供給する。
【００１８】
コントローラ１０は、主制御回路１１の制御により、テレビカメラ２−１，２−２，２−３・・・からの映像信号をビデオデコーダ２０によりデジタル画像データに変換して記憶装置１６に記憶するとともに、このデジタル画像データの１つの単位毎に、時計回路１２からの時刻データを画像データ単位識別のインデックス情報として記憶装置１６に記憶させ、記憶装置１６の再生の際にインデックス情報を基にデジタル画像データを検索できるようにしている。
【００１９】
さらに、コントローラ１０は、インデックス情報に基づいた検索履歴を記憶装置１６に記憶させ、その検索履歴をモニタ３−１，３−２・・・に出力し、任意の検索履歴が選択されたときは、選択された検索履歴に対応した画像データのインデックス情報を抽出し、ビデオエンコーダ２１はインデックス情報に合致するデジタル画像データをエンコードし、映像信号を再生してモニタ出力Ｉ／Ｆ部２２に供給するように構成されており、モニタ出力Ｉ／Ｆ部２２は、ビデオエンコーダ２１からの映像信号に対して信号調整処理を行い、複数のモニタ３−１，３−２・・・に供給してその映像を表示する。
【００２０】
以上説明したように、このような実施の形態によれば、記憶媒体に記憶されている任意の映像を撮像された時刻に基づいて高速に検索でき、また、検索履歴に基づいて検索された映像を簡単に繰り返し再生することができる。
【００２１】
尚、本実施の形態では、コントローラ１０と記憶装置１６を一体に設けたが、別体で設けても良い。また、検索履歴を記憶装置１６に記憶されるものについて説明しているが、不揮発性メモリ等、記憶装置１６とは別の記憶手段であってもよい。
【００２２】
【発明の効果】
このような発明によれば、記憶媒体に記憶されている任意の映像を撮像された時刻に基づいて高速に検索でき、また、検索履歴に基づいて検索された映像を簡単に繰り返し再生することができる監視用テレビカメラシステムを提供することができる。
【図面の簡単な説明】
【図１】本発明に係る監視用テレビカメラシステムの実施の形態を示すシステム全体のブロック図。
【図２】図１のコントローラのブロック図。
【符号の説明】
２−１，２−２，２−３：テレビカメラ　　　　　３−１，３−２：モニタ
１０：コントローラ　　　　　　　　　　　　　　１２：時計回路
１６：記憶装置
【図１】
2004128533.tif 000003
【図２】
2004128533.tif 000004